(57)【要約】【課題】水平方向、また上下方向に長さ調節が容易で、漏水の危険が少なく、排水性能が良好且つ安価に提供することができる排水配管部材を提供する。【解決手段】槽体（Ｂ）の排水口（２）からの排水を排出する排水配管に用いられる排水配管部材を、槽体（Ｂ）の底面に取り付けられる排水栓（１）と、第一縦管部（４）、第一横管部（５）、及び当接片（６）、から成る略Ｌ字状にして第一横管部（５）側が長手に形成された横長手管（３）と、排水栓（１）の雄ねじに螺合する第一ナット（７）と、第二横管部（９）、第二縦管部（１０）、及び横管受部（１１）、から成る縦長手管（８）と、横管受部（１０）の雄ねじに螺合する雌ねじを設けた第二ナット（１２）と、から構成する。【選択図】図１
2004257144.tif 000002
【特許請求の範囲】
【請求項１】
槽体（Ｂ）の底面に設けられた排水口（２）からの排水を排出する排水配管に用いられる排水配管部材であって、
槽体（Ｂ）の底面に取り付けられる、内部に設けた排水口（２）、及び底面が平坦な円筒状にして外周面に雄ねじを設けた排水栓（１）と、
第一縦管部（４）、該第一縦管部（４）に連通する直線状且つ一様な外径を有する第一横管部（５）、及び該第一縦管部（４）の上端部分の側面に設けた、排水栓（１）の底面にパッキングを介して当接する当接片（６）、から成る略Ｌ字状にして第一横管部（５）側が長手に形成された横長手管（３）と、
第一横管部（５）及び第一縦管部（４）を挿通可能で、当接片（６）を挿通不能な、排水栓（１）の雄ねじに螺合する雌ねじを設けた第一ナット（７）と、
第二横管部（９）、該第二横管部（９）に連通する直線状且つ一様な外径を有する第二縦管部（１０）、及び該第二横管部（９）の端部に設けた、第一横管部（５）の外径に等しい内径を有する差込部（１１ａ）、及び該差込部（１１ａ）の端部に設けた雄ねじを備えた横管受部（１１）、から成る略Ｌ字状にして第二縦管部（１０）側が長手に形成された縦長手管（８）と、
第一横管部（５）を挿通可能で、差込部（１１ａ）の雄ねじに螺合する雌ねじを設けた第二ナット（１２）と、
から構成されてなることを特徴とする排水配管部材。
【請求項２】
横方向の長さ調節を、第一横管部（５）を切断することで、
また、縦方向の長さ調節を、第二縦管部（１０）を切断することで、
それぞれ行うことを特徴とする、上記請求項１に記載の排水配管部材。
【請求項３】
上記横長手管（３）及び縦長手管（８）を、樹脂材にて構成したことを特徴とする請求項１又は請求項２に記載の排水配管部材。
【請求項４】
上記縦長手管（８）の下流側に、排水トラップ（１３）を接続したことを特徴とする請求項１乃至請求項３のいずれか１つに記載の排水配管部材。
【請求項５】
上記排水配管部材が配管される槽体（Ｂ）の下方に、キャビネット（Ｃ）を配置したことを特徴とする請求項１乃至請求項４のいずれか１つに記載の排水配管部材。
【発明の詳細な説明】
【０００１】
【発明の属する技術分野】
本発明は、流し、洗面台、トイレ傍の手洗い器等の槽体について、それらを使用した際に生じる排水を、床下配管等下水側に排出するように配管する、排水配管に用いられる排水配管部材に関するものであって、更に詳しくは、槽体の下方の空間の配管の排水性能や意匠性、また収納能力の向上を安価に行うことを目的とした、排水配管部材に関するものである。
【０００２】
【従来の技術】
従来より、流し、洗面台、トイレ傍の手洗い器等の槽体からの排水を処理する排水配管において、槽体の下方の空間の配管の意匠性の向上や、また収納能力の向上目的とした排水配管と、それに用いられる排水配管部材が知られている。
【０００３】
これら従来良く知られている排水配管のうち、図５に示した槽体下の排水配管（特許文献１など）や、図６に示した槽体下の排水配管（特許文献２など）は、槽体下方の、通常キャビネット内となる空間を有効活用するために、槽体の底面に取り付けられた排水栓に連通する排水配管を、一度水平方向に湾曲させ、キャビネットの横又は奥方向の側面近傍で、側面に沿うように再度屈曲させて、床下配管等下水側の配管に連通するようにしている。このような配管とすることで、槽体の排水口から直下方向に配管を行った場合と比べて、排水配管が収納の邪魔となって収納性が悪化することが無く、また、意匠的にもすっきりとして良好な排水配管とすることができる。
【０００４】
【特許文献１】
実開昭５３−８２４３８号公報（第１図）
【特許文献２】
特開平５−２０２５４５号公報（第１図乃至第３図）
【０００５】
【発明が解決しようとする課題】
ところで、上記のような排水配管を実施するためには、次の１．及び２．の要件を満たす必要がある。
要件１．それぞれの接続部分を、漏水がないように接続する。
要件２．排水管の横方向及び縦方向の配管の長さを、排水栓からキャビネット側面間での長さに適合するように調節する。
【０００６】
上記課題に対して、図５の従来例は、横方向に長さ調節を行う機構を何ら設けていない。このため、図５の従来例は、上記段落０００５の要件１．を満たしてはいるが、他方、段落０００５の要件２．を満たすことができず、特定の槽体に対して特定の排水配管をそれぞれ個別に用意する必要があり、汎用性が失われている。
【０００７】
一方、図６の従来例は、排水管と、該排水管の外径よりも若干大きな内径を有する連絡管とを備え、更に連絡管の端部にねじ部分を設けて長さ調節部としている。ねじ部分をパッキングを利用し水密的に接続することで、上記段落０００５の要件１．を満たし、またこの長さ調節部によって上記段落０００５の要件２．を満たしている。
【０００８】
しかしながら、この図６の従来例のような排水配管の場合には次のような問題点が生じる。
問題点１．連絡管が一体的に成形されている場合
図６の従来例のように、連絡管が一体的に成形されている場合、排水栓（特許文献２中では「３ａ  排水口」と記載されている）に取り付けられるナット（以下、単に「排水栓のナット」と呼ぶ）の径よりも長さ調節部に取り付けられるナット（以下、単に「長さ調節部のナット」と呼ぶ）の径の方が小さくなければ、排水栓のナットが連絡管を挿通することができない。更に、排水管の少なくとも長さ調節部の径は、段落０００３に記載したように、連絡管の径より更に小さくしなければ長さ調節の機能が得られない。結局、連絡管が一体的に成形されている場合、排水栓から連絡管を介し、排水管に到るまでの間に、管径は次第に細くなってゆき、排水性能の悪化する排水配管となってしまう。
問題点２．連絡管が２つ以上の部材の組み合わせによって構成されている場合
図７の従来例のように、長さ調節部のナットの径が、排水栓のナットの径より大きくすることを可能にするため、連絡管を２つ以上の部材の組み合わせによって構成した場合、長さ調節部の管の径は、排水栓の径に関係なく自由に設定することができる。このため、連絡管が一体的に成形されている場合のように、管径が次第に細く、排水性能の悪化する排水配管となることはない。しかしこのためには、２つ以上の部材となった連絡管を、排水栓のナットを挟んで、接着などの方法により水密的に接続しなければならず、連絡管が一体的に成形されている場合と比較して、部材点数や作業の手間が増えて大幅なコストアップになってしまう。また接続箇所から漏水が生じる場合があるなど、品質的にも不安のある排水配管部材となってしまう。
問題点３．また、上記問題点１．、２．に記載した構造のいずれの場合であっても、長さ調節部によって調節することができる水平方向の長さは、最も長くした場合の半分まで短くできる、という程度で、それ以上短くすることができない、という問題があった。
本発明は上記問題点に鑑み考案されたものであって、
課題１．水平方向、また上下方向に長さ調節が容易
課題２．漏水の危険が少ない
課題３．排水性能が良好
課題４．安価に提供することができる
以上の課題を解決した排水配管部材を提供するものである。
【０００９】
【課題を解決するための手段】
請求項１に記載の本発明は、槽体（Ｂ）の底面に設けられた排水口（２）からの排水を排出する排水配管に用いられる排水配管部材であって、槽体（Ｂ）の底面に取り付けられる、内部に設けた排水口（２）、及び底面が平坦な円筒状にして外周面に雄ねじを設けた排水栓（１）と、第一縦管部（４）、該第一縦管部（４）に連通する直線状且つ一様な外径を有する第一横管部（５）、及び該第一縦管部（４）の上端部分の側面に設けた、排水栓（１）の底面にパッキングを介して当接する当接片（６）、から成る略Ｌ字状にして第一横管部（５）側が長手に形成された横長手管（３）と、第一横管部（５）及び第一縦管部（４）を挿通可能で、当接片（６）を挿通不能な、排水栓（１）の雄ねじに螺合する雌ねじを設けた第一ナット（７）と、第二横管部（９）、該第二横管部（９）に連通する直線状且つ一様な外径を有する第二縦管部（１０）、及び該第二横管部（９）の端部に設けた、第一横管部（５）の外径に等しい内径を有する差込部（１１ａ）、及び該差込部（１１ａ）の端部に設けた雄ねじを備えた横管受部（１１）、から成る略Ｌ字状にして第二縦管部（１０）側が長手に形成された縦長手管（８）と、第一横管部（５）を挿通可能で、差込部（１１ａ）の雄ねじに螺合する雌ねじを設けた第二ナット（１２）と、から構成されてなることを特徴とする排水配管部材である。
【００１０】
請求項２に記載の本発明は、横方向の長さ調節を、第一横管部（５）を切断することで、また、縦方向の長さ調節を、第二縦管部（１０）を切断することで、それぞれ行うことを特徴とする、上記段落０００９に記載の排水配管部材である。
【００１１】
請求項３に記載の本発明は、上記横長手管（３）及び縦長手管（８）を、樹脂材にて構成したことを特徴とする上記段落０００９又は段落００１０に記載の排水配管部材である。
【００１２】
請求項４に記載の本発明は、上記縦長手管（８）の下流側に、排水トラップ（１３）を接続したことを特徴とする上記段落０００９乃至段落００１１のいずれか１つに記載の排水配管部材である。
【００１３】
請求項５に記載の本発明は、上記排水配管部材が配管される槽体（Ｂ）の下方に、キャビネット（Ｃ）を配置したことを特徴とする上記段落０００９乃至段落００１２のいずれか１つに記載の排水配管部材である。
【００１４】
【実施例】
以下に本発明の第一実施例を、図面を参照しつつ説明する。
図１乃至図３に示した、本発明の第一実施例は、以下に記載した、排水栓（１）、横長手管（３）、縦長手管（８）、第一ナット（７）、第二ナット（１２）、及び排水トラップ（１３）より構成されて成る。
排水栓（１）は、槽体（Ｂ）の底面に取り付けられる底面が平坦な円筒形状の部材であって、その外側面に雄ねじを設けると共に、上縁にフランジ部（１４）を設け、また内部に排水が流れる排水口（２）を設けて成る。
横長手管（３）は、排水栓（１）との接続を行うのに必要な長さ部分のみから成る第一縦管部（４）と、該第一縦管部（４）に連通する直線状且つ一様な外径を有する第一横管部（５）と、該第一縦管部（４）の上端部分の側面に設けた、排水栓（１）の底面にパッキングを介して当接する当接片（６）から成る、第一横管部（５）側が長手に形成された管体から成り、第一縦管部（４）と第一横管部（５）の連通部分は、後述する第一ナット（７）が挿通できるように、滑らかな円弧によって接続された、略Ｌ字状の部材である。
第一ナット（７）は、排水栓（１）の雄ねじに螺合する雌ねじを設けて成り、第一横管部（５）及び第一縦管部（４）を挿通可能で、当接片（６）を挿通不能な開口を設けて成る。
縦長手管（８）は、第一横管部（５）の外径に等しい内径を有する差込部（１１ａ）及び該差込部（１１ａ）の端部に設けた雄ねじを備えた横管受部（１１）をその端部に設けた第二横管部（９）と、該第二横管部（９）に連通する直線状且つ一様な外径を有する第二縦管部（１０）から成り、第二縦管部（１０）側が長手に形成された、略Ｌ字状の部材である。
第二ナット（１２）は、差込部（１１ａ）の雄ねじに螺合する雌ねじを設けて成り、第一横管部（５）を挿通可能な開口を設けて成る。
排水トラップ（１３）は、図２また図３にあるように、管体を略Ｓ字状に屈曲させた部材であって、その内部に排水が溜まるようにして封水部とし、該封水部によって下水側から臭気や害虫類が屋内側に侵入してくることを防止している。
この他の部材として、排水栓（１）を槽体（Ｂ）の取付孔に取付けるための、排水栓（１）の雄ねじと螺合する取付ナット（１５）を備えて成る。
また、ナットを用いた各部材の接続部分は、特に記載しない場合でも、ゴム材等の軟質な素材から成るパッキングなどを用いて、漏水がないように水密的に接続される。
また、横長手管（３）及び縦長手管（８）を含む各部材は、パッキングを除き、ポリプロピレン等の樹脂材から構成されて成る。
【００１５】
上記のように構成された各部材は、図４に示したような、上流側を以下のように構成された排水機器である洗面台（Ｗ）に接続され、また下流側を同じく以下のように構成された床下配管に接続されてなる。
洗面台（Ｗ）は、吐水を溜めることができる槽体（Ｂ）と、槽体（Ｂ）下方に設けられた、排水配管や排水トラップ（１３）等を内部に収納するキャビネット（Ｃ）、及び該槽体（Ｂ）の底面に設けられた取付孔、から成る。
床下配管は、生活空間の床面から、コンクリート等の養生面のような配管用の床面との間の床下空間に配管されるものであって、水平面に対し１度乃至２度程度の若干の勾配を有するものの、ほぼ水平方向に沿って配管された排水主管（Ｐ１）と、該排水主管（Ｐ１）と排水トラップの下流側端部とを接続する枝管部（Ｐ２）とからなり、更にその下流側は縦管等によって下水道等に連通されている。
【００１６】
上記段落００１４のように構成された各部材は、以下のようにして、段落００１５に記載した排水機器である洗面台（Ｗ）に施工される。
まず排水栓（１）を槽体（Ｂ）の底面に設けられた取付孔に、取付孔の周縁をフランジ部（１４）と取付ナット（１５）とで挟持するようにして取り付け固定する。
次に、各部材また洗面台（Ｗ）を施工現場に搬入し、洗面台（Ｗ）を設置した後、キャビネット（Ｃ）内の各部寸法を採寸し、横長手管（３）の第一横管部（５）、及び縦長手管（８）の第二縦管部（１０）を適切な長さに切断する。
横長手管（３）また縦長手管（８）は、その材質にポリプロピレン等樹脂材を採用しているため、鋸のような施工現場に容易に持ち込めるコンパクトな機器で簡単に切断することができる。
次いで、排水栓（１）の底面にパッキングを介して横長手管（３）の当接片（６）を当接させ、更に第一ナット（７）を第一横管部（５）の端部から挿通し、横長手管（３）の第一横管部（５）の方向を調整しつつ排水栓（１）に螺合させて、排水栓（１）に横長手管（３）を接続固定する（排水栓（１）の底面は平坦なため、横長手管（３）を、第一縦管部（４）の軸を中心として自在に回転させた上で取り付け固定することができる）。
次に第一横管部（５）に第二ナット（１２）とパッキングを挿通した後、横長手管（３）の第一横管部（５）端部を、縦長手管（８）の横管受部（１１）の差込部（１１ａ）に差し込み、パッキングを介して第二ナット（１２）と横管受部（１１）の雄ねじと螺合させ、縦長手管（８）の第二縦管部（１０）が、キャビネット（Ｃ）の奥側側面に沿うようにして、横長手管（３）に接続固定する。
更に排水トラップ（１３）の、上流側を縦長手管（８）の第二縦管部（１０）下端に、下流側を床下配管の枝管部（Ｐ２）に、排水トラップ（１３）が図１のように洗面台（Ｗ）のキャビネット（Ｃ）奥側側面沿うように接続して、洗面台（Ｗ）への排水配管が完了する。
【００１７】
本発明の実施例は上記のようであるが、本発明は上記実施例に限定されることなく、必要に応じて要旨を変更しない範囲で自在に変更することができる。
例えば上記実施例においては、槽体（Ｂ）をキャビネット（Ｃ）を設けた洗面台（Ｗ）としているが、本発明は上記実施例に限定されることなく、流しのシンクなど、各種の槽体（Ｂ）に使用することができる。
【００１８】
また、上記実施例においては、キャビネット（Ｃ）の側面に沿わせることを目的として排水配管の長さ調節を行っているが、本発明による排水配管部材の長さ調整機能は、施工の際に、任意の場所に設けられた床下配管の枝管部（Ｐ２）との接続箇所への位置合わせ等に利用しても良い。このような利用法は、家屋にリフォームを行う場合など、枝管部（Ｐ２）の位置を自由に設定できない場合に特に効果的である。
【００１９】
【発明の効果】
本願発明の排水配管部材は、上記のように構成したため、以下のような効果を奏する。
１．第一横管部及び第二縦管部を切断することで長さ調節を行うことができる。この切断作業は、各部材を樹脂材にて構成した場合に特に容易に行うことができ、図６又は図７の従来例のように、最長の長さの半分までしか短くできない、といった機能上の制限もない。
２．上記排水配管は、縦方向、また横方向のそれぞれの方向に各１箇所だけ、長さ調節を行う接続箇所を設けているのみである。更に、横管受部に雄ねじを設けた構造のため、図７の従来例のような、接着による接続箇所を設けずとも十分な管径を第一横管部に与えることができるため、漏水の危険が生じる箇所の数を最小限とすることができる。
３．上記排水配管は、縦方向、また横方向のそれぞれの方向に各１箇所だけ、長さ調節を行う接続箇所を設けているのみで、接着等を行う箇所もないため、極めて安価に商品を提供することができる。
４．図７の従来例と異なり、本発明の排水配管部材は、接着による接続箇所を有さず、全てねじの螺合によって接続が行われている。このため、必要に応じて接続箇所の着脱が可能であり、故障や破損があった場合に、容易に補修を行うことができる。
【図面の簡単な説明】
【図１】洗面台に施工された、本発明を採用した排水配管を示す断面図である。
【図２】本発明の排水配管を示す断面図である。
【図３】本発明の排水配管部材の部材構成を示す参考図である。
【図４】床下配管を示す参考図である
【図５】従来例を示す断面図である。
【図６】他の従来例を示す断面図である。
【図７】他の従来例を示す断面図である。
【符号の説明】
１      排水栓          ２      排水口
３      横長手管        ４      第一縦管部
５      第一横管部      ６      当接片
７      第一ナット      ８      縦長手管
９      第二横管部      １０    第二縦管部
１１    横管受部        １１ａ  差込部
１２    第二ナット      １３    排水トラップ
１４    フランジ部      １５    取付ナット
Ｂ      槽体            Ｃ      キャビネット
Ｗ      洗面台          Ｐ１    排水主管
Ｐ２    枝管部
【図１】
2004257144.tif 000003
【図２】
2004257144.tif 000004
【図３】
2004257144.tif 000005
【図４】
2004257144.tif 000006
【図５】
2004257144.tif 000007
【図６】
2004257144.tif 000008
【図７】
2004257144.tif 000009